(57)【要約】      （修正有）【課題】  温スチームと冷ミストを交互に２サイクル以上繰り返すことにより、短時間で快適に効率よくスキンケア効果の向上ができるスキンケア装置を提供する。【解決手段】スチーム吐出口７およびミスト吐出口８を有するハウジングと、液体１９を加熱してスチームを生成するスチーム生成部１２と、液体から冷ミストを生成する冷ミスト生成部１３と、スチームと冷ミストの切り替え及び吐出条件を制御すると共に、少なくとも温冷を２サイクル以上行う制御モードを有する制御部１４と、を備える。そして、制御部は、スチームと冷ミストの切り替え及び吐出条件を制御すると共に、少なくとも温サイクルと冷サイクルを２サイクル以上行うように制御する。【選択図】図２
2008289543.tif 000002
【特許請求の範囲】
【請求項１】
スチーム吐出口およびミスト吐出口を有するハウジングと、
液体を加熱してスチームを生成するスチーム生成部と、
液体から冷ミストを生成する冷ミスト生成部と、
前記スチーム生成部及び前記冷ミスト生成部の動作を制御する制御部と、を備え、
前記制御部は、前記スチームと前記冷ミストの切り替え及び吐出条件を制御すると共に、少なくとも温サイクルと冷サイクルを２サイクル以上行う
ことを特徴とするスキンケア装置。
【請求項２】
請求項１記載のスキンケア装置であって、
前記制御部は、温冷のサイクルのうち少なくとも１回は、温冷による皮膚表面の温度変化が１５ｄｅｇ以上になる制御モードを有する
ことを特徴とするスキンケア装置。
【請求項３】
請求項１または請求項２に記載のスキンケア装置であって、
前記制御部は、温冷のサイクルのうち、各サイクルの温と冷の時間比が１０／１以上、５／２以下になる制御モードを有する
ことを特徴とするスキンケア装置。
【請求項４】
請求項１から請求項３の何れか１項に記載のスキンケア装置であって、
前記制御部は、温冷のサイクルのうち、最後が温スチームで終了する制御モードを有する
ことを特徴とするスキンケア装置。
【請求項５】
請求項１から請求項３の何れか１項に記載のスキンケア装置であって、
前記制御部は、温冷のサイクルのうち、最後が冷ミストで終了する制御モードを有する
ことを特徴とするスキンケア装置。
【請求項６】
請求項１から請求項５の何れか１項に記載のスキンケア装置であって、
スチームまたは冷ミストが噴霧されている肌面を冷却する別の冷却手段を有した
ことを特徴とするスキンケア装置。
【請求項７】
請求項６に記載のスキンケア装置であって、
前記冷却手段は、ファンと、肌面に向けて風を放出する吐出口と、ファンと吐出口の間に設けられる送風路と、から構成される
ことを特徴とするスキンケア装置。
【請求項８】
請求項６または請求項７記載のスキンケア装置であって、
前記制御部は、温冷のサイクルのうち少なくとも１回は、時間当たりの皮膚表面の温度変化が８ｄｅｇ／分以上になる制御モードを有する
ことを特徴とするスキンケア装置。
【発明の詳細な説明】
【技術分野】
【０００１】
本発明は、温かいスチームと冷たいミストを使用者の肌に当ててスキンケアを行う、温冷制御機構を有するスキンケア装置に関する。
【背景技術】
【０００２】
従来、温冷両用のスキンケア装置においては、水をヒーターで加熱して発生させた温スチームと超音波振動子で発生させた冷ミストを送風ファンで搬送し、それぞれの作動を切り替えスイッチで切り替えてノズルから温霧、冷霧、および混合された湿風を吐出するものがあった（例えば、特許文献１参照）。
【０００３】
また、別の例では超音波振動により発生されたミストを加熱するか否かを選択して切り替え、温霧、冷霧、および混合された湿風を吐出するものがあった（例えば、特許文献２参照）。
【特許文献１】実公平６−９６５４公報
【特許文献２】登録実用新案第３０５４７５０号公報
【発明の開示】
【発明が解決しようとする課題】
【０００４】
しかしながら、特許文献１及び２に記載の装置では、スキンケアの観点からみて温冷の組み合わせの作用条件が不明確であり、スキンケア効果や快適性において十分満足できないという課題があった。
【０００５】
そこで本発明は、このような従来の課題を解決するものであり、温スチームと冷ミストを交互に２サイクル以上繰り返すことにより、短時間で快適に効率良くスキンケア効果を向上させることのできるスキンケア装置を提供することを目的とする。
【課題を解決するための手段】
【０００６】
上記課題を解決するために、請求項１記載のスキンケア装置は、スチーム吐出口およびミスト吐出口を有するハウジングを有し、そのハウジング内に、液体を加熱してスチームを生成するスチーム生成部と液体から冷ミストを生成する冷ミスト生成部とスチーム生成部及び冷ミスト生成部の動作を制御する制御部とを備える。そして、制御部は、スチームと冷ミストの切り替え及び吐出条件を制御すると共に、少なくとも温サイクルと冷サイクルを２サイクル以上行う。
【０００７】
請求項２記載のスキンケア装置においは、制御部が、温冷のサイクルのうち少なくとも１回は、温冷による皮膚表面の温度変化が１５ｄｅｇ以上になる制御モードを有する。
【０００８】
請求項３記載のスキンケア装置においては、制御部が、温冷のサイクルのうち、各サイクルの温と冷の時間比が１０／１以上、５／２以下になる制御モードを有する。
【０００９】
請求項４記載のスキンケア装置においては、制御部が、温冷のサイクルのうち、最後が温スチームで終了する制御モードを有する。
【００１０】
請求項５記載のスキンケア装置においては、制御部が、温冷のサイクルのうち、最後が冷ミストで終了する制御モードを有する。
【００１１】
請求項６記載のスキンケア装置においては、スチームまたは冷ミストが噴霧されている肌面を冷却する別の冷却手段を有した。
【００１２】
請求項７記載のスキンケア装置においては、冷却手段が、ファンと、肌面に向けて風を放出する吐出口と、ファンと吐出口の間に設けられる送風路から構成される。
【００１３】
請求項８記載のスキンケア装置は、制御部が、温冷のサイクルのうち少なくとも１回は、時間当たりの皮膚表面の温度変化が８ｄｅｇ／分以上になる制御モードを有する。
【発明の効果】
【００１４】
請求項１記載のスキンケア装置によれば、温スチームと冷ミストを交互に２サイクル以上繰り返すことにより、肌への刺激を繰り返して血液循環を促し、短時間で快適に効率良くスキンケア効果を向上させることができる。
【００１５】
このスキンケア装置によれば、温で血管拡張し、冷で血管収縮することが知られているが、温スチームと冷ミストを繰り返すことで、血管の柔軟性を高め、肌の血流量が増加し、代謝が改善する。代謝の改善により、皮膚細胞への十分な栄養補給と、老廃物の排出が出来てきれいな肌になる。
【００１６】
また、このスキンケア装置によれば、温冷の繰り返しにより肌のターンオーバーが正常化し、肌理の改善ができる。さらに、温冷の繰り返しにより、皮脂腺を刺激することで皮脂の円滑な分泌が行われ、汚れた皮脂を排出し、肌の皮脂量の正常化が出来る。これらの効果は、温冷を２回以上繰り返すことで短時間で表れ、継続することで肌本体の恒常性維持機能も良くなり、効果はさらに高まる。
【００１７】
請求項２記載のスキンケア装置によれば、温冷のサイクルのうち少なくとも１回は、温冷による皮膚表面の温度変化を１５ｄｅｇ以上に制御することにより、肌への刺激を強め、血管の拡張収縮反応が効果的になるため、短時間で効率良くスキンケア効果を向上させることができる。
【００１８】
請求項３記載のスキンケア装置によれば、温冷のサイクルのうち、温と冷の時間比が１０／１以上、５／１以下に制御することにより、上記の温冷効果を保ちつつ、気持ちの良いスキンケアができる。温の比率が高すぎると火傷の恐れがあり、熱く感じて冷の効果も不足し、反対に、冷の比率が高すぎると血行抑制されて肌寒く感じ、効果も快適性も損なう。
【００１９】
請求項４記載のスキンケア装置によれば、温冷のサイクルのうち、最後が温スチームで終了する制御を行うことにより、血流量が多い状態で維持できるため、血行促進を重視する場合、例えばクマやクスミ等の改善に効果的なスキンケアをすることができる。
【００２０】
請求項５記載のスキンケア装置によれば、温冷のサイクルのうち、最後が冷ミストで終了する制御を行うことにより、肌を引き締めた状態で終わるため、例えば肌のハリの向上や皮脂の抑制、化粧のりの改善、化粧くずれの防止等に効果的なスキンケアをすることができる。
【００２１】
請求項６記載のスキンケア装置によれば、温スチームまたは冷ミストが噴霧されている肌面を冷却する別の冷却手段を設けたことにより、冷却能力が安定して高まり、肌表面の温冷の温度変化の刺激を適切に制御できるため、目的に合わせた効果的で快適な温冷サイクルが実現できるとと共に使用性も向上する。
【００２２】
請求項７記載のスキンケア装置によれば、冷却手段が、ファンと、肌面に向けて風を放出する吐出口と、ファンと吐出口の間に設けられる送風路から構成されたことにより、気化熱を有効に利用したシンプルで且つ小型で十分な冷却能力を有し、冷ミストとの組み合わせで独立した最適な冷却制御ができるため、コンパクトで快適なスキンケアをすることができる。また、肌についた冷ミストの水滴が、気化されて適度に蒸散するため、水滴が肌から流れ落ちることも殆ど無いため快適性を損ねることも少ない。
【００２３】
請求項８記載のスキンケア装置によれば、温冷のサイクルのうち少なくとも１回は、時間当たりの皮膚表面の温度変化が８ｄｅｇ／分以上に制御することにより、肌面の急激な温度変化が起こることで刺激がより強くできるため、さらに短時間で効果的な温冷サイクルが実現でき、適切な使用時間での繰り返し数の増加も可能になる。その結果、時間的な使用性が向上し、快適性も向上する。
【発明を実施するための最良の形態】
【００２４】
以下、本発明を適用した具体的な実施の形態について図面を参照しながら詳細に説明する。
【００２５】
「実施形態１」
実施形態１のスキンケア装置（美容装置）は、図１に示すように、装置本体１を備えている。装置本体１は、ハウジング２と、このハウジング２の上部を塞ぐ上蓋３と、ハウジング２の底部を塞ぐ底蓋４と、上蓋３に取り付けられたタンク蓋５と、ノズル６とから構成されている。
【００２６】
ノズル６には、スチームが噴出されるスチーム吐出口７と、ミスト（冷ミスト）が吐出されるミスト吐出口８とが開口されている。
【００２７】
上蓋３には、電源操作スイッチボタン１０と、モード切替操作スイッチボタン１１とが設けられている。電源操作スイッチボタン１０は、装置本体１の内部に構成された電源スイッチをオン（ＯＮ）またはオフ（ＯＦＦ）する操作ボタンである。モード切替操作スイッチボタン１１は、装置本体１の内部に構成されたモード切替スイッチをオン（ＯＮ）またはオフ（ＯＦＦ）する操作ボタンである。
【００２８】
給水タンク１５に供給された液体１９は、図２の模式図で示すように、スチーム生成部１２と冷ミスト生成部１３に送られる。スチーム生成部１２では、液体１９をヒータ８５で加熱してハウジング２内に設けられたチャンバー内でスチームを生成し、スチーム吐出口７よりスチームを放出する。冷ミスト生成部１３では、液体１９をチャンバーで貯留し、超音波振動子８６でミストを生成し、ファン５９による風で送風路内を搬送してミスト吐出口８より冷ミストを放出する。
【００２９】
制御部（温冷制御回路部）１４では、スチーム生成部１２のヒータ８５と、冷ミスト生成部１３の超音波振動子８６と、ファン５９を回転させるファンモータ５８と、がマイコンおよび切替えスイッチを介して電気的に接続され、スチームとミスト（冷ミスト）の切り換え及び吐出条件を時間切り替えで制御する。
【００３０】
以上の構成において、本実施形態１のスキンケア装置の動作を図３のフローチャートを用いて説明する。
【００３１】
先ず、ステップＳ１の処理では、給水タンク１５に水を入れる。次に、ステップＳ２の処理では、スキンケア装置の電源プラグをコンセントに差し込む。そして、ステップＳ３の処理では、電源スイッチを押してスキンケア装置を起動する。その結果、ステップＳ４の処理で回路に通電され、ステップＳ５の処理で電源ランプが点灯する。次に、ステップＳ６の処理では、スチーム吐出口７及びミスト吐出口８が設けられるノズル６の角度を調整する。
【００３２】
次に、ステップＳ７の処理では、モード切替操作スイッチボタン１１を押して所定のモード（スチーム発生とミスト発生を予め設定されたパターンに従って交互に実行するモード）を選択する。選択されたモードに従い、スチーム生成部１２のヒータ８５あるいは冷ミスト生成部１３の制御部１４に電力が供給される。
【００３３】
ステップＳ８の処理において、スタートボタンを押すと、マイコン制御により、制御部１４は、温スチーム放出によるスチーム浴（温サイクル）と冷ミスト放出による冷ミスト浴（冷サイクル）を所定のモードに従って交互に２サイクル以上行う。
【００３４】
具体的には、ステップＳ９の処理で温サイクルまたは冷サイクルの何れかが選択される。温サイクルが選択されると、ステップＳ１０の処理で、スチーム生成部１２のヒータ８５に通電されると共にヒータ８５の温度が制御される。これにより、ステップＳ１１の処理で、温スチームが発生し、スチーム吐出口７から温スチームが放出される。そして、ステップＳ１２の処理で、スチームの放出を所定時間行ったか否かを判断し、所定時間経過していなければ、ステップＳ１０の処理に戻り、所定時間経過した場合はステップＳ１３でスチーム放出を停止する。
【００３５】
一方、冷サイクルが選択されると、ステップＳ１４の処理で、ミスト生成部１３のミストポンプに通電されると共にミストポンプの駆動が制御される。次に、ステップＳ１５の処理で、ファンモータ５８に通電されると共にファンモータ５８の駆動が制御される。これにより、ステップＳ１６の処理で、超音波振動子８６が振動することでミストが発生し、ファンモータ５８で回転させられるファン５９により冷ミストがミスト吐出口８から放出される。そして、ステップＳ１７の処理で、ミストの放出を所定時間行ったか否かを判断し、所定時間経過していなければ、ステップＳ１４の処理に戻り、所定時間経過した場合はステップＳ１８でミスト放出を停止する。
【００３６】
制御部１４は、マイコン制御により、温サイクル（ステップＳ１０〜ステップＳ１３の処理）と冷サイクル（ステップＳ１４〜ステップＳ１９の処理）を自動的に交互に繰り返す。このとき、制御部１４は、温サイクルと冷サイクルを少なくとも２サイクル以上繰り返すようにスキンケア装置に指令する。
【００３７】
ステップＳ２０の処理において、温冷のサイクルが所定回数に達しない場合は、ステップＳ９の処理に戻り、所定回数に達した場合は、ステップＳ２１の処理でスチーム浴及び冷ミスト浴を自動終了する。
【００３８】
そして、ステップＳ２２の処理では、スキンケア装置の電源スイッチをオフ（ＯＦＦ）する。これにより、ステップＳ２３の処理で電源ランプが消灯する。そして、ステップＳ２４の処理において、電源プラグをコンセントから抜いた後、ステップＳ２５の処理で給水タンク１５内の水および装置本体１中に残留した水を排水する。これで、スキンケア装置の動作フローが終了する。
【００３９】
以上のように構成されたスキンケア装置を実際使用してスキンケア試験を次のように行った。
【００４０】
制御モードは、温サイクルを５分と冷サイクルを２分（温５分＋冷２分）として交互にこれら温冷サイクルを２サイクル繰り返した。比較のために、温サイクルを１０分と冷サイクルを２分（温１０分＋冷２分）として１サイクルの条件で、スキンケア試験を１週間にわたり４回行い、頬のくすみ、および、目の下のくま部における血行の影響を評価した。
【００４１】
この時の温スチームの条件は、スチーム発生量６ｃｃ／分、スチーム吐出口７付近のスチーム温度９５℃〜１００℃とした。冷ミストの条件は、ミスト量３〜４ｃｃ／分、ミスト温度２２℃〜２８℃、搬送風速４．０〜５．６ｍ／秒とした。
【００４２】
結果は、図４に示すように、くすみにおいて、温冷２サイクル繰り返しにより、改善が確認された。くすみは、彩やかさで評価し、彩やかさの初期からの経日変化で判断した。また、くすみの測定には、皮膚の色を検知する肌計測機器を使用した。
【００４３】
また、図５に示すように、クマ部の血管中の酸素飽和度も温冷１サイクルに比べて上昇しており、クマの改善効果が確認できた。官能評価においても、くすみ、くま共に実感効果が確認された。クマ部の血管中の酸素飽和度は、初期からの経日変化で評価した。
【００４４】
また、単回の試験により、温冷のモードを変えて皮脂の分泌量ならびに化粧のり、化粧くずれへの影響を評価した。単回の試験とは１回の試験を表し、連回の試験とは２回以上繰り返す試験（図４及び図５は４回の連回試験）を表す。化粧くずれの評価は、化粧後、６時間経過後に行った。結果は、図６及び図７に示すように、実施例の温冷２サイクルモードが比較例の冷サイクルのみや温冷１サイクルのモードに比べて効果の高いことが確認された。温冷の繰り返しにより、肌理が改善され、皮脂が抑制されたため、化粧のり、化粧くずれに対して効果があったと考えられる。
【００４５】
図６中、「未処理」は温冷サイクルを行わないことを表し、「温１０冷２」は温サイクルを１０分、冷サイクルを２分として１サイクル行うことを表し、「温５冷２＊２」は温サイクルを５分、冷サイクルを２分として２サイクル行うことを表し、「温５冷５」は温サイクルを５分、冷サイクルを５分として１サイクル行うことを表し、「冷５」は冷サイクルを５分のみ行うことを表している。
【００４６】
「実施形態２」
実施形態２では、実施形態１と同一のスキンケア装置を使用し、ミスト量を変化させて温冷による皮膚表面の温度変化の影響を評価した。皮膚温度は、Ｔ熱電対で計測した。
【００４７】
温スチームの条件は、スチーム発生量６ｃｃ／分、スチーム吐出口７付近のスチーム温度９５℃〜１００℃、冷ミストの条件は、ミスト量０．５〜４．０ｃｃ／分、ミスト温度２２℃〜２８℃、搬送風速０．５〜５．６ｍ／秒に変化させて制御した。
【００４８】
制御モードは、温サイクルを５分とし冷サイクルを２分として交互にこれら温冷サイクルを２サイクル繰り返した。そして、この実験を１週間にわたり４回行い、温冷における皮膚表面の温度変化ΔＴ、血流量変化、および、頬のくすみ（くまも含む）の実感効果を評価した。
【表１】
2008289543.tif 000003
【００４９】
結果を表１に示す。表１から判るように、皮膚表面の温度変化が１５ｄｅｇ以上（試験ＮＯ．１〜４）では、血流量の変化が十分でほぼ飽和状態に達し、くすみ改善の実感効果および色（明るさ）の変化が確認された。なお、表１中の○印は、くすみの色変化ΔＬが３を超えた場合（くすみΔＬ＞３）を表し、くまも改善顕著であることを表している。
【００５０】
「実施形態３」
実施形態３では、実施形態１と同一のスキンケア装置を使用し、温冷の所要時間を変化させ、単回の試験で温と冷の時間比による影響を評価した。
【００５１】
温スチームの条件は、スチーム発生量６ｃｃ／分、スチーム吐出口７付近のスチーム温度９５℃〜１００℃、冷ミストの条件は、ミスト量４ｃｃ／分、ミスト温度２２℃〜２８℃、搬送風速４．０〜５．６ｍ／秒とした。
【００５２】
制御モードは、総時間１５分以内とし、温の時間と冷の時間を変化させて１〜３サイクル繰り返しとし、単回試験を行い、温冷における皮膚表面の温度変化ΔＴおよび快適性（快適感）を評価した。
【表２】
2008289543.tif 000004
【００５３】
結果を表２に示す。各サイクルの温と冷の時間配分が１０／１以上、５／２以下の制御条件では、皮膚表面の温度変化が１５ｄｅｇ以上となり、快適にスキンケアが行えた。但し、温の時間は１分以上１５分以内、冷の時間は３分以内が好ましく、この範囲を外れると、温かさに物足りなさがあったり、低温やけどの恐れがあり、また冷えすぎて快適性を損ねたりする。なお、表２中＊印は、雰囲気温度が温暖（２５℃以上）の場合である。
【００５４】
「実施形態４」
実施形態４では、実施形態１と同一のスキンケア装置を使用し、温冷の制御条件を変え、温で終わるパターンと冷で終わるパターンにおける肌作用の影響を評価した。
【００５５】
温スチームの条件は、スチーム発生量６ｃｃ／分、スチーム吐出口７付近のスチーム温度９５℃〜１００℃、冷ミストの条件は、ミスト量４ｃｃ／分、ミスト温度２２℃〜２８℃、搬送風速４．０ｍ／秒とした。
【００５６】
制御モードとしては、温スチームで終了する制御モードでは、温サイクルを４分、冷サイクルを１分、温サイクルを４分、冷サイクルを１分、温サイクルを２分（温４分＋冷１分＋温４分＋冷１分＋温２分）の合計１２分とし、比較として最後に温スチームを省いたモード（冷ミストで終了する制御モード）にし、この実験を１週間にわたり４回行い、血流量、くま・くすみの実感効果を評価した。
【表３】
2008289543.tif 000005
【００５７】
結果を表３に示す。表３から判るように、何れの制御モードも温冷の効果がみられたが、最後が温スチームで終了する制御モードの場合（実験ＮＯ．１）には、特にクマ評価において顕著な効果が得られ、最後が冷ミストで終了する制御モードの場合（実験ＮＯ．２）には、肌の引き締め感で実感効果が高かった。
【００５８】
また、皮脂分泌抑制の効果をみるために、単回試験により、別の制御モードで比較評価した。最後が温スチームで終了する制御モードでは、温サイクルを５分、冷サイクルを１．５分、温サイクルを３分、冷サイクルを１．５分、温サイクルを３分（温５分＋冷１．５分＋温３分＋冷１．５分＋温３分）の２．５サイクルとし、最後が冷ミストで終了する制御モードでは、温サイクルを５分、冷サイクルを１．５分、温サイクルを５分、冷サイクルを１．５分（温５分＋冷１．５分＋温５分＋冷１．５分）の２サイクルと、温サイクルを５分、冷サイクルを１分、温サイクルを２．２５分、冷サイクルを０．７５分、温サイクルを３分、冷サイクルを１．５分（温５分＋冷１分＋温２．２５分＋冷０．７５分＋温３分＋冷１．５分）の３サイクルに設定した。
【００５９】
結果を図８に示す。最後が冷ミストで終了する制御モードでは、皮脂分泌の抑制効果が高かった。
【００６０】
図８中、Ａは温冷サイクルをしない未処理、Ｂは温−冷２回（温５分＋冷１．５分）×２サイクル、Ｃは温−冷３回（温５分＋冷１分＋温２．２５分＋冷０．７５分＋温３分＋冷１．５分）、Ｄは温−冷２．５回（温５分＋冷１．５分＋温３分＋冷１．５分＋温３分）としたときのデータを表す。
【００６１】
「実施形態５」
実施形態５のスキンケア装置では、実施形態１とは異なり、冷ミストと風を独立して制御するように構成してある。具体的には、実施形態５のスキンケア装置は、図９に示すように、装置本体１を備えている。
【００６２】
装置本体１は、ハウジング２と、このハウジング２の上部を塞ぐ上蓋３と、ハウジング２の底部を塞ぐ底蓋４と、上蓋３に取り付けられたタンク蓋５と、ノズル６とから構成されている。
【００６３】
ノズル６には、スチームが噴出されるスチーム吐出口７と、ミスト（冷ミスト）と空気が放出されるミスト吐出口８が開口されている。また、ノズル６は、図１０に示すように、ノズル固定台９にネジ止め固定され、ある程度の角度範囲（例えば３０度）で同図中矢印Ａで示す方向に回動可能とされている。
【００６４】
上蓋３には、電源操作スイッチボタン１０と、モード切替操作スイッチボタン１１とが設けられている。電源操作スイッチボタン１０は、装置本体１の内部に構成された電源スイッチ２７をオン（ＯＮ）またはオフ（ＯＦＦ）する操作ボタンである。モード切替操作スイッチボタン１１は、装置本体１の内部に構成されたモード切替スイッチ２８をオン（ＯＮ）またはオフ（ＯＦＦ）する操作ボタンである。
【００６５】
装置本体１の内部は、図１０および図１１に示すように、スチーム発生部１２と、ミスト発生部１３と、これらスチーム発生部１２とミスト発生部１３に対してスチームとミストを交互に供給するように駆動制御する制御部１４と、に分けられる。
【００６６】
スチーム発生部１２は、図９及び図１１に示すように、主に給水タンク１５と、スチームヒータ８５と、煮沸室（図示せず）と、スチーム吐出口７と、で構成される。
【００６７】
給水タンク１５は、図１８に示すように、装置本体１内において給水貯留部１６に連結されている。給水タンク１５内には、例えば水などの液体１９が満たされる。給水経路部１７は、給水貯留部１６および煮沸室の下方に位置するような状態で接続されている。煮沸室は、スチームヒータ８５の加熱面に臨んで配設されている。煮沸室とスチーム吐出口７は、スチーム経路部１８で接続されている。また、給水タンク１５は、ミスト発生部１３にも液体１９を供給するように構成されている。
【００６８】
このようにして構成されたスキンケア装置では、給水タンク１５より供給された液体１９（例えば水）を煮沸室で加熱沸騰させて発生させたスチームを、前記スチーム吐出口７から使用者の顔や手などに噴出するように構成されている。
【００６９】
ミスト発生部（ミスト発生手段）１３は、図９、図１０及び図１３に示すように、主に空気ポンプ２０と、液体溜め部７４と、液体供給路２１と、ミストノズル２２と、送風部２３と、送風供給路２４と、ミスト吐出口８と、で構成される。
【００７０】
空気ポンプ２０は、図１３から図１５に示すように、ポンプ支持台２５により支持されている。ポンプ支持台２５は、底蓋４に設けられた支持ボス２６にネジ止め固定される。空気ポンプ２０は、ポンプモータ８０と、圧縮室８１よりなり、シリコンチューブなどを接続可能とした中空の吐出ボス２９を有し、該吐出ボス２９から空気を吐出するように構成されている。
【００７１】
吐出ボス２９には、空気接続チューブ３０の一端が接続されている。この空気接続チューブ３０のもう一方の端（他端）は、第３送風路３１の外壁に設けられた中空の第１接続ボス３２に接続されている。第３送風路３１の内壁には、第１接続ボス３２と相対する位置に同じく中空の第２接続ボス３３が設けられている。この第２接続ボス３３と第１接続ボス３２は、その中心部の連通孔３４を通して前記第３送風路３１の外壁側と内壁側を連通させている。第２接続ボス３３には、第４送風路６６内に設けられる空気接続チューブ３５の一端が接続されている。この空気接続チューブ３５のもう一方の端（他端）は、ミストノズル２２に設けられた中空の空気接続ボス３６に接続されている。
【００７２】
液体溜め部７４は、図１３に示すように、液体溜め室３７と、液体溜め室底蓋３８とからなり、これらの間に防水ゴムなどが介在されて液密保持構造とされている。そして、これら液体溜め室３７と液体溜め室底蓋３８とは、前記した底蓋４に設けられた一対の支持ボス３９にネジ止め固定される。液体溜め室３７の側面には、シリコンチューブなどを接続させる中空の液体供給ボス４０が設けられている。液体溜め部７４に必要とされる液体１９の体積は、数ｃｃから２０ｃｃ程度でよく、超音波式の溜め水（例えば１００ｃｃ）に比べ十分少量でよい。
【００７３】
液体供給ボス４０には、図１３および図１８に示すように、液体供給チューブ４１の一端が接続されている。液体供給チューブ４１のもう一方の端（他端）は、タンクホルダー４２に設けられた中空のミスト側ボス４３に接続される。液体溜め室３７には、この液体供給チューブ４１を介して前記した給水タンク１５から液体１９が供給されるようになっている。
【００７４】
液体供給路２１は、図１３から図１５に示すように、液体供給パイプ４４と、第１液体供給チューブ４５と、第２液体供給チューブ４６とから構成される。液体供給パイプ４４は、第３送風路３１の内部に配置されている。そして、液体供給パイプ４４は、第３送風路３１の底面に設けられた底穴４７と液体溜め室３７の天面に設けられた天穴４８に臨むように設けられた中空の第１接続ボス４９を下端に有し、上端には中空の第２接続ボス５０を有している。
【００７５】
第１接続ボス４９には、第１液体供給チューブ４５の一端が接続されている。第１液体供給チューブ４５のもう一方の端（他端）は、液体溜め部７４に溜められた液体１９に浸かるように配置されている。第２接続ボス５０には、前記ミストノズル２２と接続される第２液体供給チューブ４６の一端が接続されている。この第２液体供給チューブ４６のもう一方の端（他端）は、前記ミストノズル２２に設けられた中空の液体接続ボス５１に接続されている。
【００７６】
ミストノズル２２は、図１５に示すように、ノズル支持台５２に固定されている。ノズル支持台５２は、ミストノズルカバー５３とノズル固定台９との間に嵌合固定されている。そして、ミストノズル２２は、図１６及び図１７に示すように、ミスト噴出孔５４を有し、そのミスト噴出孔５４からミストを使用者の顔や手などに噴出するようになっている。
【００７７】
また、ミストノズル２２は、空気接続チューブ３５が接続される中空の空気接続ボス３６と、第２液体チューブ４６が接続される中空の液体接続ボス５１とを有している。空気接続ボス３６の中空部の奥は、出口側の径に対して直径が小さい細径部５５に連通している。また、ミスト噴出孔５４の孔径φＢは、前記細径部５５の孔径φＡよりも大（φＢ＞φＡ）とされており、該細径部５５と同心円上に配置されている。細径部５５とミスト噴出孔５４との間には、液体吸い上げ穴５６がこれらに連通するように配置されている。かかる液体吸い上げ穴５６は、前記した液体接続ボス５１の中空部と連通しており、液体溜め室３７に貯水された液体１９と前記液体供給路２１を介して繋がっている。
【００７８】
送風部２３は、図１３に示すように、送風部ハウジング５７と、ファンモータ５８およびファン５９とから構成され、前記した底蓋４に固定されている。
【００７９】
送風部ハウジング５７は、下部に空気吸入部６０を有し、上部に送風供給路２４と接続される開口端６１を有している。この送風部ハウジング５７は、その内部にファンモータ５８と、このファンモータ５８により回転されるファン５９とを内包している。ファンモータ５８は、回転軸６２を有し、その回転軸６２に前記ファン５９を圧入固定させている。ファン５９は、ファンモータ５８の正回転に伴い、下部の空気吸入部６０から上部の開口端６１に空気が流れるような向きに配置されている。
【００８０】
送風供給路２４は、図１１、図１３、図１４及び図１５に示すように、第１送風路６３と、第２送風路６４と、第３送風路３１と、ノズル固定台基台６５と、ノズル固定台９と、ミストノズルカバー５３と、第４送風路６６とから構成され、密閉された一連の空気供給路を形成している。
【００８１】
第１送風路６３は、図１３に示すように、一端側部を送風部ハウジング５７の開口端６１を覆うように連結され、他端側部を第２送風路６４の一端に対して密閉状態で連結されている。第２送風路６４の他端は、第３送風路３１に形成された中空の風路接続ボス６７に接続されている。
【００８２】
第３送風路３１は、図１０及び図１３に示すように、立方体形状をなし、前記した液体溜め室３７の上に固定されている。この第３送風路３１の上端には、ノズル固定台基台６５が固定されている。そして、第３送風路上端の開口部は、前記ノズル固定台基台６５により密閉される。
【００８３】
ノズル固定台基台６５には、図１０に示すように、ある程度の角度範囲（例えば３０度）で回動可能なように前記ノズル固定台９が取り付けられている。また、ノズル固定台基台６５とノズル固定台９は、該ノズル固定台９を回動させても機密状態を保持できるようにシリコンゴム製の第４送風路６６で接続されている。
【００８４】
ミストノズルカバー５３は、図１５に示すように、中空に形成されており、その一端はノズル固定台９の開口端に取り付けられ、他端はミスト空気噴出孔５４に面している。このミストノズルカバー５３の出口は、ミスト吐出口８とされている。
【００８５】
空気吸入部６０から吸入された空気は、ファンモータ５８で回転されるファン５９により、送風供給路２４の入り口である第１送風路６３からミストノズルカバー５３まで送風され、ミスト吐出口８から前記したミスト噴出孔５４より噴出されるミストと共に、風を使用者の顔や手などに噴出するように構成されている。
【００８６】
制御部１４は、図１０、図１１及び図１３に示すように、ポンプ制御部６８と、ファン制御部６９と、スチームヒータ制御部７０とからなる（詳細は図示せず）。
【００８７】
ポンプ制御部６８は、ポンプモータ８０に電気的に接続されており、該ポンプモータ８０の回転数を制御し、その結果、空気ポンプ２０から吐出される空気量を制御する。
【００８８】
ファン制御部６９は、ファンモータ５８に電気的に接続されており、ファンモータ５８の回転数を制御し、その結果、ファン５９から送風される空気量を制御する。
【００８９】
スチームヒータ制御部７０は、スチームヒータ８５に電気的に接続されており、スチームヒータ８５の発熱量を制御し、その結果、スチーム吐出口７から噴出するスチーム量を制御する。
【００９０】
以上の構成において、本実施形態５におけるスキンケア装置の動作を、図１３〜図１８の装置構成図を参照しながら説明する。
【００９１】
先ず、装置本体１からタンク蓋５を開けて給水タンク１５を取り出し、その給水タンク１５内に液体１９を入れ、再び装置本体１内に給水タンク１５を収納する。この時、タンクホルダー４２に設けられた突出ピン７１によって、給水タンク１５に設けられた止水ピン７２が前記給水タンク１５の内側に押し込まれ、円錐パッキン７３の水密性が解除されることによって、前記給水タンク１５内の液体１９がスチーム発生部１２の煮沸室とミスト発生部１３の液体溜め部７４に供給される。なお、タンクホルダー４２内と煮沸室と液体溜め部７４の液体１９は、液面を示すラインＸで釣り合っている（煮沸室側は図示せず）。
【００９２】
次に、電源操作スイッチボタン１０を押して電源を起動し、モード切替操作スイッチボタン１１により、好みのモード（スチーム発生とミスト発生を予め設定されたパターンに従って交互に実行するモード）を選択する。選択されたモードに従い、スチームヒータ制御部７０、あるいはポンプ制御部６８とファン制御部６９に電力が供給される。
【００９３】
スチームを発生させるモードが選択された場合は、スチームヒータ制御部７０からスチームヒータ８５に電力が供給される。スチームヒータ８５の熱で煮沸室内の水を煮沸（加熱気化）させることにより発生したスチームは、スチーム経路部１８を通ってスチーム噴出孔７から吐出される。
【００９４】
ミストを発生させるモードが選択された場合は、ポンプ制御部６８からポンプモータ８０に電力が供給されると共に、ファン制御部６９からファンモータ５８に電力が供給される。ポンプモータ８０が駆動されると、吐出ボス２９から空気が吐出され、空気接続チューブ３０を通って最終的に空気がミスト噴出孔５４から吐出される。
【００９５】
この時、細径部５５（φＡ）に対してミスト噴出孔５４（φＢ）の孔径を大きく構成しているので、液体吸い上げ穴５６に負圧が発生する。発生した負圧により、液体溜め部７４の液体１９が液体供給路２１を通って吸い上げられ、液体吸い上げ穴５６まで到達する。そして、吸い上げられた液体１９は、空気と混合されてミストとなり、最終的にミスト噴出孔５４から噴出される。
【００９６】
ファンモータ５８が駆動されると、ファン５９が回転し、空気吸入部６０から空気が吸入される。そして、吸入された空気は、第１送風路６３などを通って、最終的にミスト空気放出孔８から、前記ミスト噴出孔５４から噴出されたミストと共に放出される。
【００９７】
以上の構成において、本実施形態５のスキンケア装置の動作を図１９のフローチャートを用いて説明する。
【００９８】
先ず、ステップＳ３１の処理では、給水タンク１５に水を入れる。次に、ステップＳ３２の処理では、スキンケア装置の電源プラグをコンセントに差し込む。そして、ステップＳ３３の処理では、電源スイッチを押してスキンケア装置を起動する。その結果、ステップＳ３４の処理で回路に通電され、ステップＳ３５の処理で電源ランプが点灯する。次に、ステップＳ３６の処理では、スチーム吐出口７及びミスト吐出口８が設けられるノズルの角度を調整する。
【００９９】
次に、ステップＳ３７の処理では、モード切替操作スイッチボタン１１を押して所定のモード（スチーム発生とミスト発生を予め設定されたパターンに従って交互に実行するモード）を選択する。選択されたモードに従い、スチーム生成部１２のスチームヒータ８５あるいは冷ミスト生成部１３の制御部１４に電力が供給される。
【０１００】
ステップＳ３８の処理において、スタートボタンを押すと、マイコン制御により、制御部１４は、温スチーム放出によるスチーム浴（温サイクル）と、冷ミスト放出による冷ミスト浴（冷サイクル）を所定のモードに従って交互に２サイクル以上行う。冷サイクルでは、冷ミストと風を独立に制御して放出する。
【０１０１】
具体的には、ステップＳ３９の処理で温サイクルまたは冷サイクルの何れかが選択される。温サイクルが選択されると、ステップＳ４０の処理で、スチーム生成部１２のスチームヒータ８５に通電されると共にスチームヒータ８５の温度が制御される。これにより、ステップＳ４１の処理で、温スチームが発生し、スチーム吐出口７から温スチームが放出される。そして、ステップＳ４２の処理で、スチームの放出を所定時間行ったか否かを判断し、所定時間経過していなければ、ステップＳ４０の処理に戻り、所定時間経過した場合はステップＳ４３でスチーム放出を停止する。
【０１０２】
一方、冷サイクルが選択されると、ステップＳ４４の処理で、ミスト生成部１３のミストポンプに通電されると共にミストポンプの駆動が制御される。また、ステップＳ４４と同時に、ステップＳ４５の処理で、ファンモータ５８に通電されると共にファンモータ５８の駆動が制御される。
【０１０３】
これにより、ステップＳ４６の処理では、ミストポンプへの通電により超音波振動子８６が振動してミストが発生する。一方、ステップＳ４７の処理では、ファンモータ５８への通電によりファン５９が回転して風が発生する。その結果、冷ミストと風がそれぞれ独立に制御され、冷ミストがミスト噴出孔５４から放出されると共に風がミスト吐出口８から放出される。これにより、冷ミストと風による冷ミスト浴がなされる。
【０１０４】
そして、ステップＳ４８の処理で、ミストの放出を所定時間行ったか否かを判断し、所定時間経過していなければ、ステップＳ４４の処理に戻り、所定時間経過した場合はステップＳ４９の処理でミスト放出を停止する。一方、ステップＳ５０の処理で、風の放出を所定時間行ったか否かを判断し、所定時間経過していなければ、ステップＳ４５の処理に戻り、所定時間経過した場合はステップＳ５１の処理で風の放出を停止する。
【０１０５】
制御部１４は、マイコン制御により、温サイクル（ステップＳ４０〜ステップＳ４３の処理）と冷サイクル（ステップＳ４４〜ステップＳ５１の処理）を自動的に交互に繰り返す。このとき、制御部１４は、温サイクルと冷サイクルを少なくとも２サイクル以上繰り返すようにスキンケア装置に指令する。
【０１０６】
ステップＳ５２の処理において、温冷のサイクルが所定回数に達しない場合は、ステップＳ３９の処理に戻り、所定回数に達した場合は、ステップＳ５３の処理でスチーム浴及び冷ミスト浴を自動終了する。
【０１０７】
そして、ステップＳ５４の処理では、スキンケア装置の電源スイッチをオフ（ＯＦＦ）する。これにより、ステップＳ５５の処理で電源ランプが消灯する。そして、ステップＳ５６の処理において、電源プラグをコンセントから抜いた後、ステップＳ５７の処理で給水タンク１５内の水および装置本体１中に残留した水を排水する。これで、スキンケア装置の動作フローが終了する。
【０１０８】
以上のように構成されたスキンケア装置を実際使用してスキンケア試験を次のように行った。
【０１０９】
温スチームの条件は、スチーム発生量６ｃｃ／分、スチーム吐出口７付近のスチーム温度９５℃〜１００℃、冷ミストの条件は、ミスト量１ｃｃ／分、ミスト温度２２℃〜２８℃、搬送風量６０リットル／分（約３ｍ／秒）とした。
【０１１０】
制御モードは、温サイクルを５分、冷サイクルを１．５分、温サイクルを３分、冷サイクルを１．５分、温サイクルを３分（温５分＋冷１．５分＋温３分＋冷１．５分＋温３分）の２．５サイクル繰り返しとし、スキンケア試験を２週間にわたり８回行い、頬のくすみ、目の下のくま部における血行の影響および快適性を評価した（これを実施例と表４で表記する）。また、実施形態１のスキンケア装置を用いた試験（これを比較例と表４で表記する）と比較した。
【表４】
2008289543.tif 000006
【０１１１】
結果を表４に示す。この表４から判るように、何れもくすみ・くまにおいて、同様の実感効果が確認された。比較例に比べて冷却力の高い実施例は、冷ミストと風を独立して制御することにより、肌に付着した水分を効率的に気化冷却することができる。そのため、比較例のように超音波で霧化したミストを搬送した場合に比べて少ない水の量で十分な冷却ができ、所定時間でのサイクル数を増やせ、それによりくすみ・くまのケアのように温度変化の大きい制御でも２サイクルが確実に出来き、温サイクルで終了できるため快適性も向上する。
【０１１２】
なお、冷却方式については、ペルチェ式、断熱膨張式、コンプレッサー式のような冷却装置を用いてもよい。
【０１１３】
「実施形態６」
実施形態６では、実施形態５と同一のスキンケア装置を使用し、冷ミスト量と送風量を増加させることにより、さらに冷却力を高め、温冷のサイクルで時間当たりの皮膚表面の温度変化が８ｄｅｇ／分以上に制御した条件でスキンケア試験を行った。
【０１１４】
温スチームの条件は、スチーム発生量６ｃｃ／分、スチーム吐出口７付近のスチーム温度９５℃〜１００℃、冷ミストの条件は、ミスト量０．８〜１．３ｃｃ／分、ミスト温度２２℃〜２５℃、搬送風量６０〜７０リットル／分とし、何れも実施形態５に比べてミスト量、搬送風量を増加した。
【０１１５】
制御モードは、温サイクルを１１分、冷サイクルを２分（温１１分＋冷２分）の１サイクルと、温サイクルを５分、冷サイクルを１．５分、温サイクルを５分、冷サイクルを１．５分（温５分＋冷１．５分＋温５分＋冷１．５分）の２サイクルと、温サイクルを５分、冷サイクルを１分、温サイクルを２．２５分、冷サイクルを０．７５分、温サイクルを３分、冷サイクルを１．５分（温５分＋冷１分＋温２．２５分＋冷０．７５＋温３分＋冷１．５分）の３サイクルと、温サイクルを５分、冷サイクルを１．５分、温サイクルを３分、冷サイクルを１．５分、温サイクルを３分（温５分＋冷１．５分＋温３分＋冷１．５分＋温３分）の２．５サイクルの単回試験で皮脂分泌量変化を評価した。
【０１１６】
結果を図２０に示す。図２０から判るように、何れのモードも温冷３サイクル（図中Ｃで表す）の効果が最も良かった。これは、温冷のサイクルにおける時間当たりの皮膚表面の温度変化を８ｄｅｇ／分以上に制御した条件として短時間で温冷繰り返し増による効率的な皮脂分泌をさせた結果、しっかり肌を引きしめて皮脂分泌を抑制する作用が限られた時間で効率的に出来たためと考えられる。
【０１１７】
図２０中、Ａは温−冷１回（温１１分＋冷２分）、Ｂは温−冷２回（温５分＋冷１．５分）×２サイクル、Ｃは温−冷３回（温５分＋冷１分＋温２．２５分＋冷０．７５分＋温３分＋冷１．５分）×３サイクル、Ｄは温−冷２．５回（温５分＋冷１．５分＋温３分＋冷１．５分＋温３分）×２．５サイクルとしたときのデータを表す。
【図面の簡単な説明】
【０１１８】
【図１】図１は実施形態１に示すスキンケア装置の外観斜視図である。
【図２】図２は実施形態１に示すスキンケア装置の機能構成を示す模式図である。
【図３】図３は実施形態１に示すスキンケア装置の制御フローチャートである。
【図４】図４は実施形態１に示すスキンケア装置を使用してスキンケア試験を行ったときのくすみ評価を示す試験結果図である。
【図５】図５は実施形態１に示すスキンケア装置を使用してスキンケア試験を行ったときのクマ部血管中の酸素飽和度評価を示す試験結果図である。
【図６】図６は実施形態１に示すスキンケア装置を使用してスキンケア試験を行ったときの皮脂分泌量評価を示す試験結果図である。
【図７】図７は実施形態１に示すスキンケア装置を使用してスキンケア試験を行ったときの化粧のり及び化粧くずれ評価を示す試験結果図である。
【図８】図８は実施形態４において皮脂分泌抑制効果を評価した試験結果図である。
【図９】図９は実施形態５のスキンケア装置の外観斜視図である。
【図１０】図１０は実施形態５のスキンケア装置の内部構造を一方向から見たときの斜視図である。
【図１１】図１１は実施形態５のスキンケア装置の内部構造を他方向から見たときの斜視図である。
【図１２】図１２は実施形態５のスキンケア装置の内部構造を示す上面図である。
【図１３】図１３は実施形態５のスキンケア装置における送風部、送風供給路、および液体供給路の主要断面図（図１２のＣ−Ｃ断面図）である。
【図１４】図１４は実施形態５のスキンケア装置における送風供給路および液体供給路の部分断面図（図１２のＤ−Ｄ断面図）である。
【図１５】図１５は実施形態５のスキンケア装置におけるミスト噴出部の断面図（図１２のＥ−Ｅ断面図）である。
【図１６】図１６は実施形態５のスキンケア装置におけるミストノズルの縦断面図である。
【図１７】図１７は実施形態５のスキンケア装置におけるミストノズルの斜視図である。
【図１８】図１８は実施形態５のスキンケア装置におけるタンク周辺の断面図（図１２のＦ−Ｆ断面図）である。
【図１９】図１９は実施形態５に示すスキンケア装置の制御フローチャートである。
【図２０】図２０は実施形態５に示すスキンケア装置を使用してスキンケア試験を行ったときの皮脂分泌量評価を示す試験結果図である。
【符号の説明】
【０１１９】
２    ハウジング
７    スチーム吐出口
８    ミスト吐出口
１２  スチーム発生部
１３  冷ミスト発生部
１４  制御部
１９  液体
２０  空気ポンプ
２１  液体供給路（経路）
２２  ミストノズル
２３  送風部
２４  送風供給路
５９  ファン
【図１】
2008289543.tif 000007
【図２】
2008289543.tif 000008
【図３】
2008289543.tif 000009
【図４】
2008289543.tif 000010
【図５】
2008289543.tif 000011
【図６】
2008289543.tif 000012
【図７】
2008289543.tif 000013
【図８】
2008289543.tif 000014
【図９】
2008289543.tif 000015
【図１０】
2008289543.tif 000016
【図１１】
2008289543.tif 000017
【図１２】
2008289543.tif 000018
【図１３】
2008289543.tif 000019
【図１４】
2008289543.tif 000020
【図１５】
2008289543.tif 000021
【図１６】
2008289543.tif 000022
【図１７】
2008289543.tif 000023
【図１８】
2008289543.tif 000024
【図１９】
2008289543.tif 000025
【図２０】
2008289543.tif 000026